(57)【要約】【課題】良好なメンテナンス環境を保持することができるメンテナンス装置、流体噴射装置及びメンテナンス方法を提供すること。【解決手段】噴射ヘッドから噴射された流体を受けて流体回収部へ流通させる流体受部を冷却部によって冷却することで、流体受部の冷却部分に結露を発生させることができる。発生した結露により流体受部の乾燥を防ぐことができるため、流体受部において乾燥による流体の堆積するのを防ぐことができる。これにより、良好なメンテナンス環境を保持することができる。【選択図】図４
2010030220.tif 000002
【特許請求の範囲】
【請求項１】
流体を噴射する噴射ヘッドのメンテナンス装置であって、
前記噴射ヘッドに当接し、当該噴射ヘッドを摺動するワイピング部と、
前記ワイピング部を支持する支持部と、
前記支持部を冷却する冷却部と
を備えることを特徴とするメンテナンス装置。
【請求項２】
前記支持部は、前記ワイピング部による摺動方向上に壁部を有し、
前記冷却部は、前記壁部を冷却する
ことを特徴とする請求項１に記載のメンテナンス装置。
【請求項３】
前記冷却部は、前記壁部のうち少なくとも前記ワイピング部側の領域を冷却する
ことを特徴とする請求項２に記載のメンテナンス装置。
【請求項４】
前記冷却部は、前記支持部の内部に設けられている
ことを特徴とする請求項１から請求項３のうちいずれか一項に記載のメンテナンス装置。
【請求項５】
前記支持部の内部には、冷媒を流通させる流路が形成されており、
前記冷却部は、前記流路である
ことを特徴とする請求項４に記載のメンテナンス装置。
【請求項６】
前記支持部は、少なくとも前記ワイピング部よりも熱伝導性の高い材料によって形成されている
ことを特徴とする請求項４又は請求項５に記載のメンテナンス装置。
【請求項７】
流体を噴射する噴射ヘッドと、
請求項１から請求項６のうちいずれか一項に記載のメンテナンス装置と
を備えることを特徴とする流体噴射装置。
【請求項８】
流体を噴射する噴射ヘッドのメンテナンス方法であって、
支持部によって支持されたワイピング部を前記噴射ヘッドに当接させて当該噴射ヘッドを摺動する際に、前記支持部を冷却する
ことを特徴とするメンテナンス方法。
【発明の詳細な説明】
【技術分野】
【０００１】
本発明は、メンテナンス装置、流体噴射装置及びメンテナンス方法に関する。
【背景技術】
【０００２】
流体を噴射する流体噴射装置として、例えばインクジェット式記録装置などが知られている。このインクジェット式記録装置の一つとして、例えば特許文献１に示すように、記録媒体として比較的大型の記録用紙（例えばＪＩＳ規格のＡ１判、Ｂ１判など）に記録可能な大型のインクジェット式プリンタ（ラージフォーマットプリンタ：ＬＦＰ）が知られている。
【０００３】
ＬＦＰは、記録用紙を供給する給紙部と、記録用紙に画像等を記録する記録部と、画像が記録された記録用紙を排出する排紙部とがこの順に配列された構成になっている。記録部には、記録用紙に対して主走査方向に往復移動する記録ヘッドや、当該記録ヘッドのメンテナンスを行う各種メンテナンス装置が設けられている。
【０００４】
メンテナンス装置として、例えば記録ヘッドのワイピング動作を行う際のワイピング機構が挙げられる。ワイピング動作は、記録ヘッドのインク噴射面をワイピング部材などによって摺動させることにより、インク噴射面に付着したインクや塵、埃などを除去する動作である。（例えば、特許文献１参照）。ワイピング部材の摺動によって除去されるインクなどは、当該ワイピング部材を支持する支持部材を伝わって廃液回収部へ排出されるようになっている。  
【特許文献１】特開２００３−２７６２６１号公報
【発明の開示】
【発明が解決しようとする課題】
【０００５】
しかしながら、上記構成においては、支持部材上が乾燥すると、当該支持部材を伝わって流通するインクが固化し、支持部材上に堆積してしまうという問題がある。このインクの堆積を放置すると、例えばワイピング動作によって除去されたインクが、堆積したインク上に次々に堆積しノズルに付着したり、除去されたインクが堆積したインクによって記録用紙等へ向けて跳ね返されてしまったりすることがあり、メンテナンス環境が悪化してしまう。
【０００６】
以上のような事情に鑑み、本発明の目的は、良好なメンテナンス環境を保持することができるメンテナンス装置、流体噴射装置及びメンテナンス方法を提供することにある。
【課題を解決するための手段】
【０００７】
上記目的を達成するため、本実施形態に係るメンテナンス装置は、流体を噴射する噴射ヘッドのメンテナンス装置であって、前記噴射ヘッドに当接し、当該噴射ヘッドを摺動するワイピング部と、前記ワイピング部を支持する支持部と、前記支持部を冷却する冷却部とを備えることを特徴とする。
【０００８】
本発明によれば、噴射ヘッドに当接し当該噴射ヘッドを摺動するワイピング部と、当該ワイピング部を支持する支持部と、当該支持部を冷却する冷却部とを備えることとしたので、当該支持部を冷却部によって冷却することで、支持部の冷却部分に結露を発生させることができる。発生した結露により支持部の周囲を保湿することができるため、ワイピング部を摺動させる際に除去された流体などの乾燥を防ぐことができ、支持部上での流体の堆積を防ぐことができる。これにより、良好なメンテナンス環境を保持することができる。
【０００９】
上記のメンテナンス装置は、前記支持部は、前記ワイピング部による摺動方向上に壁部を有し、前記冷却部は、前記壁部を冷却することを特徴とする。  
本発明によれば、支持部がワイピング部による摺動方向上に壁部を有し、冷却部が壁部を冷却することとしたので、壁部上に結露を発生させることができる。これにより、壁部上を保湿することができるため、当該壁部上に流体が堆積するのを防ぐことができる。
【００１０】
上記のメンテナンス装置は、前記冷却部は、前記壁部のうち少なくとも前記ワイピング部側の領域を冷却することを特徴とする。  
本発明によれば、冷却部が壁部のうち少なくともワイピング部側の領域を冷却することとしたので、当該壁部のうちワイピング部側の領域に結露を発生させることができる。これにより、結露によって生じた水滴をワイピング部によって除去された流体と共に流通させることができ、壁部全体を保湿することができる。
【００１１】
上記のメンテナンス装置は、前記冷却部は、前記支持部の内部に設けられていることを特徴とする。  
本発明によれば、冷却部が支持部の内部に設けられていることとしたので、支持部の外側に冷却部を配置するためのスペースを省略することができる。
【００１２】
上記のメンテナンス装置は、前記支持部の内部には、冷媒を流通させる流路が形成されており、前記冷却部は、前記流路であることを特徴とする。  
本発明によれば、支持部の内部には冷媒を流通させる流路が形成されており、冷却部が流路であることとしたので、簡単な構成で支持部を冷却することができる。
【００１３】
上記のメンテナンス装置は、前記支持部は、少なくとも前記ワイピング部よりも熱伝導性の高い材料によって形成されていることを特徴とする。  
本発明によれば、支持部が少なくともワイピング部よりも熱伝導性の高い材料によって形成されていることとしたので、支持部の冷却効率を高めることができる。
【００１４】
本発明に係る流体噴射装置は、流体を噴射する噴射ヘッドと、上記のメンテナンス装置とを備えることを特徴とする。  
本発明によれば、良好なメンテナンス環境を保持することができるメンテナンス装置を備えることとしたので、清浄な環境で噴射ヘッドのメンテナンスを行うことができる。これにより、メンテナンス性能に優れた流体噴射装置を得ることができる。
【００１５】
本発明に係るメンテナンス方法は、流体を噴射する噴射ヘッドのメンテナンス方法であって、支持部によって支持されたワイピング部を前記噴射ヘッドに当接させて当該噴射ヘッドを摺動する際に、前記支持部を冷却することを特徴とする。
【００１６】
本発明によれば、支持部によって支持されたワイピング部を噴射ヘッドに当接させて当該噴射ヘッドを摺動する際に、支持部を冷却することとしたので、当該支持部の冷却部分に結露を発生させることができる。発生した結露により支持部の周囲を保湿することができるため、ワイピング部を摺動させる際に除去された流体などの乾燥を防ぐことができ、支持部上での流体の堆積を防ぐことができる。これにより、良好なメンテナンス環境を保持することができる。
【発明を実施するための最良の形態】
【００１７】
以下、図面をもとにして本発明の実施の形態を説明する。  
（インクジェット式記録装置）  
図１は、本実施形態に係るインクジェット式記録装置（以下、「記録装置」と表記する。）ＩＪの構成を概略的に示す斜視図である。図２は、記録装置ＩＪの内部の構成を示す図である。
【００１８】
図１及び図２に示すように、記録装置ＩＪは、給紙部１と、記録部２と、排紙部３とを備えている。この記録装置ＩＪは、例えばＪＩＳ規格のＡ１判やＪＩＳ規格のＢ１判といった比較的大型のサイズの記録用紙に記録するラージフォーマットプリンタ（ＬＦＰ）である。記録装置ＩＪは、給紙部１から記録部２を経て排紙部３に向かう方向に記録用紙が搬送されるように構成されている。記録装置ＩＪの給紙部１、記録部２及び排紙部３は、これら各部を支持する一対のフレーム９間に形成されている。
【００１９】
給紙部１は、開閉可能に設けられたカバー５によって覆われている。ユーザがカバー５の下部を持って持ち上げることで当該カバー５を開状態とすることが可能になっており、また、押し下げることにより閉状態とすることが可能になっている。給紙部１の内部には、一対のスピンドル受け７ａ及び７ｂと、その下方に更にもう一対のスピンドル受け８ａ及び８ｂが配置されている。スピンドル受け７ａ及び７ｂ、スピンドル受け８ａ及び８ｂはそれぞれ上記一対のフレーム９に取り付けられている。スピンドル受け７ａ、７ｂ間、スピンドル受８ａ、８ｂ間には、２本のスピンドル７、８の両端が架設されるようになっている。
【００２０】
２本のスピンドル７、８は、相対的に上側のスピンドル７が装置正面に立つ作業者に対して若干後方となるように、斜め上下に配置されている。２本のスピンドル７、８にはロール紙４が着脱可能に設けられている。図１及び図２にはスピンドル７、８にロール紙４が装着された状態が示されている。ロール紙４は、例えば４０インチ以上の紙幅を有する記録媒体の一である。
【００２１】
記録部２には、左右のフレーム９間に水平に取り付けられたガイドロッド１０が配置されている。このガイドロッド１０には、当該ガイドロッド１０に沿って移動可能に設けられたキャリッジ１１が装着されている。キャリッジ１１には記録ヘッド１２が搭載されている。
【００２２】
記録ヘッド１２は、インクを噴射する複数のノズル１２ａを有する噴射ヘッドである。この記録ヘッド１２は、キャリッジ１１の移動に伴って主走査方向（図中左右方向）に移動するようになっている。複数のノズル１２ａは、所定方向（例えば主走査方向）に配列されている。記録ヘッド１２のうちノズル１２ａの形成されている面がノズル形成面１２ｂである。
【００２３】
ノズル１２ａは、記録ヘッド１２の内部に設けられた不図示の圧力発生室に接続されている。圧力発生室にはインクが貯留されるようになっている。インクが貯留された状態で当該圧力発生室内を所定圧で加圧することにより、ノズル１２ａからインク滴が噴射されるようになっている。
【００２４】
記録ヘッド１２は、ノズル形成面１２ｂが鉛直方向に対して傾斜した状態となるようにキャリッジ１１上に搭載されている。記録ヘッド１２の構成として、例えばブラックインクを吐出するブラックインク用記録ヘッド、ライトイエロー、イエロー、ライトシアン、シアン、ライトマゼンタ、マゼンタ等の各色のインクを吐出する複数のカラーインク用記録ヘッドとを有する構成であっても構わない。
【００２５】
記録ヘッド１２の走査方向における端部（図２の右端部分）は、非印字領域（ホームポジション）となっている。この非印字領域にはキャッピング機構２１が配置されている。キャッピング機構２１は、記録ヘッド１２が非印字領域に移動した時点で、記録ヘッド１２のノズル形成面１２ｂを封止できるように配置されている。キャッピング機構２１の下方には、キャッピング機構２１の内部空間に負圧を与えるための吸引ポンプ２２が配置されている。キャッピング機構２１は、記録装置の休止期間中における記録ヘッド１２のノズル開口の乾燥を防止する蓋体として機能する他、吸引ポンプ２２からの負圧を記録ヘッド１２に作用させ、インクを吸引するヘッドクリーニング手段としての機能も兼ね備えている。吸引ポンプ２２によって吸引された排インクは第１廃液タンク２３へと排出され、当該第１廃液タンク２３内に収容された廃液吸収材２３ａに吸収されるようになっている。
【００２６】
記録ヘッド１２の移動方向上、キャッピング機構２１に隣接した位置（図２ではキャッピング機構２１の左側）には、ワイピング機構２６が設けられている。ワイピング機構２６は、記録ヘッド１２が当該ワイピング機構２６上へ移動した時点で、記録ヘッド１２にアクセス可能に設けられている。
【００２７】
記録ヘッド１２の移動方向上、キャッピング機構２１に対して中央の印字領域を挟んで反対側の端部（図２の左端部分）には、フラッシングボックス２７が設けられている。フラッシングボックス２７は、記録ヘッド１２のフラッシング動作に用いられる。フラッシング時には、記録ヘッド１２が当該フラッシングボックス２７上に移動し、この位置でインクを噴射するようになっている。フラッシングボックス２７は、フラッシング動作によって記録ヘッド１２から噴射されたインクを受け、第２廃液タンク２８へ流通させる構成になっている。第２廃液タンク２８には廃液吸収材２８ａが収容されている。
【００２８】
記録部２には、上記のほかに例えば不図示のインクカートリッジホルダやインクチューブなどが設けられている。インクカートリッジホルダは、内部に不図示のインクカートリッジを有している。インクカートリッジは、上記記録ヘッド１２から噴射される各色（ブラック、ライトイエロー、イエロー、ライトシアン、シアン、ライトマゼンタ、マゼンタ等）のインクを保持するカートリッジである。インクチューブは、記録ヘッド１２と上記のインクカートリッジとをつなぐチューブ部材である。当該インクチューブには図示しないインク加圧供給機構が接続されており、当該インク加圧供給機構によって加圧された各色のインクが各色のインクカートリッジから記録ヘッド１２へと送出されるようになっている。
【００２９】
排紙部３は、記録された用紙を排出する部分である。排紙部３には、記録された用紙を受け取るスタック布１３が設けられている。スタック布１３は、記録用紙を受け取る受け取り面が折り畳み可能になっている。排紙部３においては、例えば切り替えレバー１４によって印刷された用紙を記録部２のほぼ真下に移動させることが可能になっている。
【００３０】
図３は、記録装置ＩＪの断面構成を示す図である。  
同図に示すように、給紙部１から記録部２を経て排紙部３へ向かう用紙搬送経路５０は、記録装置ＩＪの上部後面側から下部前面側にかけて傾斜して設けられている。この用紙搬送経路５０は、給紙部１から記録部２にかけて配設された平坦な給紙ガイド５１、対向配置された接触・離間可能な紙送りローラ５２及び従動ローラ５３、キャリッジ１１に搭載された記録ヘッド１２と対向配置された平坦な用紙搬送案内部であるプラテン５４、記録部２から排紙部３にかけて設けられた平坦な紙吸引部５５、排紙ガイド５６を備えている。
【００３１】
給紙ガイド５１、排紙ガイド５６の各表面は、上記のロール紙４などの用紙搬送面として作用する。紙吸引部５５の表面は、用紙搬送面及び用紙吸引面として作用する。この紙吸引部５５は、主走査方向に複数並設され、副走査方向に３列配設された吸引口（媒体吸引部）５５ａ、５５ｂ、５５ｃを備えている。主走査方向の吸引口５５ｂと５５ｃとの間には、副走査方向に延びるリブ５５ｄが形成されている。記録部２の内部に設けられたファン５７により外気が各吸引口５５ａ、５５ｂ、５５ｃから吸引されることにより、紙吸引部５５上を搬送されるロール紙を吸着するようになっている。
【００３２】
プラテン５４の表面は、用紙搬送案内面として作用すると共に用紙吸引面としても作用する。このプラテン５４は、主走査方向に交互に複数並設された吸引口５４ａとリブ５４ｂを備えており、記録部２の内部に配設されたファン５７により外気が各吸引口５４ａから吸引されることにより、プラテン５４上を搬送されるロール紙を吸着するようになっている。従って、記録時において特にロール紙の幅が広くてもロール紙はプラテン５４上で全幅にわたって確実に吸引されて略平坦になる。
【００３３】
プラテン５４と吸引部５５との間には隙間Ｃが設けられており、ファン５７によって外気が隙間Ｃから吸引され、隙間Ｃ上を搬送されるロール紙を吸着するようになっている。このプラテン５４は、ロール紙の幅方向のサイズに対応させて分割、例えば４インチの幅で７つに分割され、各分割部には例えばスポンジや不織布等のインク吸収材が設けられている。
【００３４】
（メンテナンス装置）  
次に、本実施形態に係るメンテナンス装置を説明する。  
図４は、ワイピング機構２６の構成を示す断面図である。図６は、図５におけるＡ−Ａ断面に沿った構成を示す図である。
【００３５】
図４及び図５に示すように、ワイピング機構２６は、ワイピング部材（ワイピング部）６１と、当該ワイピング部材６１を支持するワイピング支持部材（支持部）６２とを有している。ワイピング部材６１は、例えばゴムなどの弾性率の高い材料によって形成されている。ワイピング部材６１の上端６１ａは、ノズル形成面１２ｂへ向けて傾斜した状態になっている。ワイピング機構２６をノズル形成面１２ｂへアクセスする際には、当該ワイピング部材６１の上端６１ａが記録ヘッド１２のノズル形成面１２ｂに当接するようになっている。
【００３６】
ワイピング支持部材６２は、例えばアルミニウムなどの金属や樹脂シートなど、熱伝導性の高い材料によって形成されている。ワイピング支持部材６２は、ワイピング部材６１よりも熱伝導率が高くなるように形成されている。ワイピング支持部材６２のうち記録ヘッド１２の移動方向上には壁部６２ａ及び６２ｂが設けられている。壁部６２ａは、ワイピング部材６１の上端６１ａの傾斜方向側に設けられている。壁部６２ｂは、ワイピング部材６１の上端６１ａの傾斜方向とは反対側に設けられている。壁部６２ａの上端は、ワイピング部材６１側に傾斜している（傾斜部６２ｃ）。
【００３７】
ワイピング機構２６は、例えば不図示の移動機構などによって図中上下方向に移動可能に設けられており、記録ヘッド１２のノズル形成面１２ｂにアクセス可能になっている。例えばワイピング部材６１がノズル形成面１２ｂに当接した状態で当該記録ヘッド１２を図中左右方向に移動させ、記録ヘッド１２のノズル形成面１２ｂを当該ワイピング部材６１で摺動することによって、ワイピング動作が行われるようになっている。
【００３８】
ノズル形成面１２ｂに例えばインク廃液が付着している場合、当該インク廃液はワイピング部材６１によって掻き取られるようになっている。ワイピング部材６１によって掻き取られたインク廃液は、当該ワイピング部材６１及びワイピング支持部材６２を伝わって第１廃液タンク２３へと排出されるようになっている（図４の破線矢印）。本実施形態では、ワイピング支持部材６２に傾斜部６２ｃが設けられていることにより、ワイピング部材６１に除去されたインク廃液などが第１廃液タンク２３へ伝わりやすくなっている。
【００３９】
図４及び図５に示すように、ワイピング支持部材６２には、冷媒流通部（冷却部）２９が設けられている。冷媒流通部２９は、ワイピング支持部材６２の内部に設けられた管状の流通路である。冷媒流通部２９には不図示の冷媒供給源が接続されており、例えば空気や水、窒素ガスなどの冷媒が流通するようになっている。冷媒流通部２９は、平面視でワイピング部材６１の周りを囲うように螺旋状に設けられている。当該冷媒流通部２９に冷媒を流通させることにより、ワイピング支持部材６２の壁部６２ａ、６２ｂ及び傾斜部６２ｃが冷却されるようになっている。冷媒流通部２９は、ワイピング支持部材６２のうちワイピング部材６１側（図中上側）の巻き数が第１廃液タンク２３側（図中下側）の巻き数よりも多くなるように形成されている。このため、ワイピング支持部材６２の図中上側（ワイピング部材６１側）は図中下側に比べてより強く冷却されるようになっている。
【００４０】
このように、本実施形態においては、ワイピング機構２６と冷媒流通部２９とでメンテナンス装置ＭＴを構成している。
【００４１】
次に、上記のように構成された記録装置ＩＪの動作を説明する。  
まず、図６に示すように、ロール紙４が挿入されたスピンドル７、８をスピンドル受け７ａ、７ｂ及び８ａ、８ｂに取り付け、ロール紙４の先端を下方に引き出して記録部２の搬送経路を通す。次に、図７に示すように、ロール紙４を巻き取り方向に回転させてロール紙４の先端を例えば排紙ガイド５６に形成されている不図示のマーカに位置決めする。その後、記録装置ＩＪを起動して、ロール紙４を副走査方向に給紙しつつ記録ヘッド１２を主走査方向に移動させながらノズル１２ａからインク滴を噴射し、ロール紙４に所定の情報を記録して排紙する。
【００４２】
記録ヘッド１２によって繰り返しインク滴の噴射を行う場合、ノズル形成面１２ｂにインクや空気中の塵、埃等が付着することがある。ノズル形成面１２ｂにこれらの不純物が付着した状態で噴射を行うと、ロール紙４上にこれらの不純物が転写されてしまい、記録不良の原因となる可能性がある。このような事態を回避するため、記録ヘッド１２のメンテナンス動作として、ワイピング動作を行う。ワイピング動作は、記録ヘッド１２のノズル形成面１２ｂをワイピング部材６１によって摺動し、ノズル形成面１２ｂに付着した不純物を掻き取ることで、不純物を除去する動作である。
【００４３】
ワイピング動作を行う際には、記録ヘッド１２をワイピング機構２６の位置まで移動させた後、ワイピング機構２６を記録ヘッド１２のノズル形成面１２ｂにアクセスさせる。ワイピング部材６１の上端６１ａをノズル形成面１２ｂに当接させた後、この状態で記録ヘッド１２を主走査方向へ移動させる。記録ヘッド１２の移動により、ワイピング部材６１によってノズル形成面１２ｂが摺動され、ノズル形成面１２ｂ上に付着した付着物がワイピング部材６１によって掻き取られる。掻き取られた付着物は、ワイピング部材６１の下方に落下し、ワイピング支持部材６２の壁部６２ａ、壁部６２ｂ及び傾斜部６２ｃを伝わって第１廃液タンク２３へと排出される。
【００４４】
このとき、ワイピング支持部材６２の周囲が乾燥していると、壁部６２ａ、壁部６２ｂ及び傾斜部６２ｃを伝わるインク滴などの付着物が固化し、当該壁部６２ａ、壁部６２ｂ及び傾斜部６２ｃに堆積してしまう。インク滴が堆積すると、例えばワイピング動作によって除去されたインクが、堆積したインク上に次々に堆積しノズル形成面１２ｂに付着したり、除去されたインクが堆積したインクによって跳ね返され、ロール紙４等に付着してしまったりすることがあり、メンテナンス環境が悪化してしまう。
【００４５】
これに対して、本実施形態においては、ワイピング支持部材６２の内部の冷媒流通部２９に例えば空気や水、窒素ガスなどの冷媒を流通させ、ワイピング支持部材６２を冷却する。ワイピング支持部材６２を冷却することにより、壁部６２ａ、壁部６２ｂ及び傾斜部６２ｃとその周囲の空間との間に温度差が生じる。当該温度差によって当該空間中の水蒸気が冷却され、壁部６２ａ、壁部６２ｂ及び傾斜部６２ｃに結露が発生する。図８は、結露が発生する温度と空気中の湿度との間の関係を示すグラフである。同図によれば、例えば気温２５℃、相対湿度が７０％の場合、壁部６２ａ、壁部６２ｂ及び傾斜部６２ｃの温度が１９℃以下になるように冷却すれば結露が発生することになる。壁部６２ａ、壁部６２ｂ及び傾斜部６２ｃに水滴が付着し、当該付着した水滴によってワイピング支持部材６２の周囲が保湿されるため、インク滴の乾燥及び固化によって壁部６２ａ、壁部６２ｂ及び傾斜部６２ｃ上に堆積するような事態は防がれることになる。
【００４６】
このように、本実施形態によれば、記録ヘッド１２に当接し当該記録ヘッド１２を摺動するワイピング部材６１と、当該ワイピング部材６１を支持するワイピング支持部材６２と、当該ワイピング支持部材６２を冷却する冷媒流通部２９とを備えることとしたので、当該ワイピング支持部材６２を冷媒流通部２９によって冷却することで、ワイピング支持部材６２の冷却部分に結露を発生させることができる。発生した結露によりワイピング支持部材６２の周囲を保湿することができるため、ワイピング部材６１を摺動させる際に除去された流体などの乾燥を防ぐことができ、ワイピング支持部材６２上でのインク等の堆積を防ぐことができる。これにより、良好なメンテナンス環境を保持することができる。
【００４７】
また、本実施形態によれば、ワイピング支持部材６２がワイピング部材６１による摺動方向上に壁部６２ａ、壁部６２ｂ及び傾斜部６２ｃを有し、冷却部が壁部６２ａ、壁部６２ｂ及び傾斜部６２ｃを冷却することとしたので、壁部６２ａ、壁部６２ｂ及び傾斜部６２ｃ上に結露を発生させることができる。これにより、壁部６２ａ、壁部６２ｂ及び傾斜部６２ｃ上を保湿することができるため、当該壁部６２ａ、壁部６２ｂ及び傾斜部６２ｃ上に流体が堆積するのを防ぐことができる。
【００４８】
また、本実施形態によれば、冷媒流通部２９が壁部６２ａ、壁部６２ｂ及び傾斜部６２ｃのうち少なくともワイピング部材６１側の領域を重点的に冷却することとしたので、当該壁部６２ａ、壁部６２ｂ及び傾斜部６２ｃのうちワイピング部材６１側の領域により多くの結露を発生させることができる。これにより、ワイピング部材６１によって除去されたインク等と共に結露によって生じた水滴を流通させることができ、壁部６２ａ、壁部６２ｂ及び傾斜部６２ｃ全体を保湿することができる。
【００４９】
また、本実施形態によれば、ワイピング支持部材６２を冷却する冷却部が冷媒を流通させる冷媒流通部２９であることとしたので、簡単な構成でワイピング支持部材６２を冷却することができる。また、冷媒流通部２９がワイピング支持部材６２の内部に設けられていることとしたので、ワイピング支持部材６２の外側に冷却部を別途配置するためのスペースを省略することができる。
【００５０】
また、本実施形態によれば、ワイピング支持部材６２が少なくともワイピング部材６１よりも熱伝導性の高い材料によって形成されていることとしたので、当該ワイピング支持部材６２の冷却効率を高めることができる。
【００５１】
また、本実施形態によれば、良好なメンテナンス環境を保持することができるメンテナンス装置ＭＴを備えることとしたので、清浄な環境で記録ヘッド１２のメンテナンスを行うことができる。これにより、メンテナンス性能に優れた記録装置ＩＪを得ることができる。
【００５２】
本発明の技術範囲は上記実施形態に限定されるものではなく、本発明の趣旨を逸脱しない範囲で適宜変更を加えることができる。  
例えば、上記実施形態においては、冷媒流通部２９がワイピング支持部材６２の内部に設けられた構成としたが、これに限られることは無く、例えば冷媒流通部２９をワイピング支持部材６２の外部に配置する構成であっても勿論構わない。この場合、例えば冷媒流通部２９としてチューブ状の部材を用いることとし、当該チューブ状部材をワイピング支持部材６２に巻きつける構成であっても構わない。
【００５３】
また、上記実施形態においては、冷媒流通部２９がワイピング支持部材６２のうちワイピング部材６１側を重点的に冷却する構成としたが、これに限られることは無く、例えばワイピング支持部材６２を全体的に均等に冷却する構成であっても構わないし、第１廃液タンク２３側を重点的に冷却する構成であっても構わない。これらの他に、ワイピング部材６１側から第１廃液タンク２３側の領域のうち特定の領域を重点的に冷却する構成であっても勿論構わない。
【００５４】
また、上記実施形態においては、ワイピング支持部材６２の壁部６２ａ側及び壁部６２ｂ側の両側を冷却する構成としたが、これに限られることは無く、例えば壁部６２ａ側を重点的に冷却する構成としても構わないし、壁部６２ｂ側を重点的に冷却する構成としても構わない。
【００５５】
また、上記実施形態においては、ワイピング支持部材６２を冷却する冷却部として冷媒流通部２９を設け、当該冷媒流通部２９内に冷媒を流通させることにより冷却する構成を説明したが、これに限られることは無く、例えばペルチェ素子など他の構成を用いても構わない。
【００５６】
また、上記実施形態においては、ワイピング支持部材６２全体がアルミニウム等の金属や樹脂シートによって形成されていることとしたが、これに限られることは無く、例えば冷媒流通部２９の周囲のみ、あるいは、壁部６２ａのみ、壁部６２ｂのみ、傾斜部６２ｃのみが上記熱伝導性の高い材料によって形成された構成であっても構わない。このように、冷却部分の熱伝導性を他の部分の熱伝導性に比べて高くする構成とすることにより、冷却部分の熱伝導性を確保することができ、高い冷却効率を得ることができる。
【００５７】
また、上記実施形態においては、ワイピング支持部材６２の壁部６２ａ及び壁部６２ｂのうち、壁部６２ａ側にのみ傾斜部６２ｃを設ける構成であったが、これに限られることは無く、例えば壁部６２ｂ側の上端にも傾斜部を設ける構成であっても構わない。この構成により、ワイピング部材６１によって除去されたインク滴等の付着物がワイピング支持部材６２を伝わりやすくなる。
【００５８】
また、傾斜部６２ｃの形状として、上記実施形態のような断面視直線状の形状に限られず、例えば断面視曲線状の形状であっても勿論構わないし、傾斜部６２ｃと壁部６２ａによって形成される角部のみが断面視曲線状の形状であっても構わない。壁部６２ｂ側に傾斜部を設ける場合についても同様である。
【００５９】
上記実施例は、インクジェット式のプリンタと、インクカートリッジが採用されているが、インク以外の他の液体を噴射したり吐出したりする液体噴射装置と、その液体を収容した液体容器を採用しても良い。微小量の液滴を吐出させる液体噴射ヘッド等を備える各種の液体噴射装置に流用可能である。なお、液滴とは、上記液体噴射装置から吐出される液体の状態をいい、粒状、涙状、糸状に尾を引くものも含むものとする。また、ここでいう液体とは、液体噴射装置が噴射させることができるような材料であれ良い。例えば、物質が液相であるときの状態のものであれば良く、粘性の高い又は低い液状態、ゾル、ゲル水、その他の無機溶剤、有機溶剤、溶液、液状樹脂、液状金属（金属融液）のような流状態、また物質の一状態としての液体のみならず、顔料や金属粒子などの固形物からなる機能材料の粒子が溶媒に溶解、分散または混合されたものなどを含む。また、液体の代表的な例としては上記実施例の形態で説明したようなインクや液晶等が挙げられる。ここで、インクとは一般的な水性インクおよび油性インク並びにジェルインク、ホットメルトインク等の各種液体組成物を包含するものとする。液体噴射装置の具体例としては、例えば液晶ディスプレイ、ＥＬ（エレクトロルミネッセンス）ディスプレイ、面発光ディスプレイ、カラーフィルタの製造などに用いられる電極材や色材などの材料を分散または溶解のかたちで含む液体を噴射する液体噴射装置、バイオチップ製造に用いられる生体有機物を噴射する液体噴射装置、精密ピペットとして用いられ試料となる液体を噴射する液体噴射装置、捺染装置やマイクロディスペンサ等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置を採用しても良い。そして、これらのうちいずれか一種の噴射装置および液体容器に本発明を適用することができる。
【図面の簡単な説明】
【００６０】
【図１】本発明の実施の形態に係るインクジェット式記録装置の構成を示す斜視図。
【図２】インクジェット式記録装置の内部構成を示す図。
【図３】インクジェット式記録装置の断面構成を示す図。
【図４】本実施形態に係るメンテナンス装置の構成を示す断面図。
【図５】メンテナンス装置の構成を示す断面図。
【図６】インクジェット式記録装置の動作を示す図。
【図７】同、動作図。
【図８】結露が発生する温度と空気中の湿度との間の関係を示すグラフ。
【符号の説明】
【００６１】
ＩＪ…記録装置  ＭＴ…メンテナンス装置  １…給紙部  ２…記録部  ３…排紙部  １２…記録ヘッド  １２ａ…ノズル  １２ｂ…ノズル形成面  ２３…廃液タンク  ２９…冷媒流通部  ６１…ワイピング部材  ６２…ワイピング支持部材  ６２ａ、６２ｂ…壁部  ６２ｃ…傾斜部
【図１】
2010030220.tif 000003
【図２】
2010030220.tif 000004
【図３】
2010030220.tif 000005
【図４】
2010030220.tif 000006
【図５】
2010030220.tif 000007
【図６】
2010030220.tif 000008
【図７】
2010030220.tif 000009
【図８】
2010030220.tif 000010